(57)【特許請求の範囲】
【請求項１】
開口部に設置される枠体と、框組みしてなり枠体に対して開閉自在に支持される障子と、障子に固定される取手とを備え、
障子を構成する框は、パネルが装着されるガラス間口の底部を有する框本体部と、框本体部に取り付けられる押縁とによって形成されており、
取手は、押縁の見付け面に固定されるとともに、押縁の取手が固定される部位の裏面におけるパネルと押縁と間及びパネルと框本体部の見付け面との間には、これらの間を埋める硬質のバックアップ材がそれぞれ設けられていることを特徴とする建具
【発明の詳細な説明】
【技術分野】
【０００１】
開口部に設けられ、障子に固着された取手をつかんで開閉することができる建具に関する。
【背景技術】
【０００２】
従来、障子の框部分に開閉の際につかむことのできる取手を設けた建具が存在する。（特許文献１）
近年、建物開口部に設けられる建具として、その窓枠及び障子の框部分の見付け幅寸法を小さくした開口面積のより大きい建具が求められており、そのために、障子の框材から中空部等の構造部分を省いてガラス間口を主体とする構成とし、障子の框材の見付け幅を小さくして開口面積を大きくした建具が求められている。
【先行技術文献】
【特許文献】
【０００３】
【特許文献１】特開平９−１９５６３４号公報
【発明の概要】
【発明が解決しようとする課題】
【０００４】
しかし、障子には開閉する際に握る取手が必要であり、障子の框材から中空部等の構造部分を省くとガラス間口の室内側は押縁により構成されているので、取手を取り付けるスペースがなくなってしまい、障子の框に強固な取手を付けることが難しかった。
【０００５】
本発明は、上記の事情を鑑みたものであり、障子の框材の見付け幅を小さくしながら、障子に対して安定した状態で取手を付けることを目的とする。
【課題を解決するための手段】
【０００６】
本発明は、開口部に設置される枠体と、框組みしてなり枠体に対して開閉自在に支持される障子と、障子に固定される取手とを備え、障子を構成する框は、パネルが装着されるガラス間口の底部を有する框本体部と、框本体部に取り付けられる押縁とによって形成されており、取手は、押縁の見付け面に固定されるとともに、押縁の取手が固定される部位の裏面におけるパネルと押縁と間及びパネルと框本体部の見付け面との間には、これらの間を埋める硬質のバックアップ材がそれぞれ設けられていることを特徴とする。
【発明の効果】
【０００７】
本発明によれば、障子の框部分の見付け幅を小さくしながら、障子に対して安定した状態で取手を付けることができる。
【図面の簡単な説明】
【０００８】
【図１】本発明の実施形態に係る建具の内観図である。
【図２】本発明の実施形態に係る建具の障子の右縦框の横断面図であり、（ａ）は取手を取り付ける部位以外の横断面図であり、（ｂ）は取手を取り付ける部位の横断面図である。
【図３】本発明の実施形態に係る建具の障子の分解図であり、右縦框の取手を取り付ける部位の周辺を内周方向から見た斜視図である。
【図４】本発明の実施形態に係る障子の取手を縦框の押縁に取り付ける方法を説明する図であり、取り付け前の押縁と取手の分解斜視図である。
【図５】本発明の他の実施形態に係る建具の障子の右縦框の取手を取り付ける部位の横断面図であって、（ａ）はパネルを単パネルにより形成し、框の見込み寸法が１６ｍｍである右縦框の横断面図、（ｂ）はパネルを複層パネルにより形成し、框の見込み寸法が２９ｍｍである右縦框の横断面図である。
【発明を実施するための形態】
【０００９】
（建具の全体構成）
本発明の建具を、建物開口部に取り付けられる枠体に対して障子が開閉する開き窓の実施形態を用いて説明する。
本発明の実施形態に係る開き窓は、図１に示すように、上枠１１，下枠１２及び左、右縦枠１３，１４を四周に組んでなり、建物開口部に配置される枠体１に対して、上框２１，下框２２及び左、右縦框２３，２４を四周に組んで内周にガラス等パネルを装着してなる障子２を、左縦框２３を吊元側框として右縦框２４が外方に開放する開き窓として構成されている。
戸先側の框材である右縦框２４には、その高さ方向略中間位置に取手５が取りつけられている。
【００１０】
障子２を形成する框材は、枠体１の内周面に対向する外周壁と外周壁の室外側に設けられる室外側壁とからなる框本体部と、框本体部の室内側に取り付けられる押縁とから構成されており、取手５が取り付けられる右縦框２４についてみると、図２（ａ）に示すように、右縦枠１４の内周部分に対向する外周壁２４１ａと外周壁２４１ａの室外側内周方向に延設される室外側壁２４１ｂとからなる右縦框本体部２４１と、右縦框本体部２４１の室内側内周面に取り付けられる押縁２４２とを備えており、右縦框本体部２４１と押縁２４２とにより、ガラス等パネル２５を保持するガラス間口２４ａを構成している。
右縦框本体部２４１の外周壁２４１ａはその一部が外周方向に隆起してガラス間口２４ａの底部には溝状部分が形成されており、ガラス間口２４ａ底部の剛性を高めるとともに、後述するブロック材３がガラス間口の底部において大きく位置ずれすることを防止できる。
【００１１】
ガラス間口２４ａの底部にはブロック材３が配置されており、ガラス等パネル２５の端部が支持されているとともに、ガラス等パネル２５と室外側壁２４１ｂとの間、及び、ガラス等パネル２５と押縁２４２との間には、軟質材料からなるバックアップ材６１が配置されている。軟質材料からなるバックアップ材６１は、断面円形状をなし、図１で示すように、障子２の右縦框２４の取手５の取付部位を除いて四周に亘って配置されており、右縦框２４とガラス等パネル２５との間のシール剤等によるシール作業を可能にしている。
【００１２】
（取手取り付け部分の構成）
右縦框２４の高さ方向略中間位置には、取手５が取り付けられており、図４に示すように、取手５は押縁２４２の間口側からビス等の固定手段ｂにより固定されている。
そして、右縦框２４における取手５の取付部位については、図２（ｂ）、図３に示すように、軟質材料からなるバックアップ材６１に代わって硬質材料からなる硬質バックアップ材６２が配置されている。
硬質バックアップ材６２は、断面略正方形状に形成され、押縁２４２の取手５が取り付けられる長さ方向範囲よりも若干広い範囲、例えば取手５が取り付けられる部位の上下に若干幅ｔ（＝約５ｍｍ）ずつ広い範囲に亘って配置されており、その断面一辺の寸法は、ガラス等パネル２５の表面と室外側壁２４１ｂもしくは押縁２４２の内面との間隔と略同一に形成されている。
【００１３】
したがって、図２（ｂ）の状態において、使用者が取手５をつかんで障子２を開閉する際には、取手５にかかる力は直接押縁２４２に伝達されるが、押縁２４２の裏面には硬質バックアップ材６２が配置されており、押縁２４２は右縦框本体部２４１と硬質バックアップ材６２によってしっかりと取り付けられているので、取手５及び押縁２４２ががたつくことなく障子２の開閉操作を行うことができる。
特に、取手５をつかんで押して障子２を開放するときにも、取手５から押縁２４２を介して伝達される押圧力によって硬質バックアップ材６２がつぶれることなく、安定確実な開閉操作を行うことができる。
【００１４】
（他の実施形態）
以上の実施形態は、障子２に装着するガラス等パネル２５として、見込み寸法が３６ｍｍの複層ガラスを想定して説明したが、本発明に採用されるガラス等パネル２５の厚み寸法は、特に限定されるものではないし、右縦框２４を構成する右縦框本体部２４１及び押縁２４２の形状も上記実施形態に何ら限定されるものではない。
例えば、図５（ａ）には、ガラス等パネル２５として、見込み寸法が１８ｍｍの単層ガラスを想定した右縦框２４を示しており、押縁２４２の見付け面部２４２ａの内周端から見込み面部２４２ｂを室外側に延設させることで、押縁２４２とガラス等パネル２５との間隔を調整している。
同様に、図５（ｂ）には、ガラス等パネル２５として、見込み寸法が２９ｍｍの複層ガラスを想定した右縦框２４を示しており、押縁２４２の見付け面部２４２ａの内周端から見込み面部２４２ｂを室外側に延設させることで、押縁２４２とガラス等パネル２５との間隔を調整している。
【００１５】
以上のように、本発明の実施形態の開き窓においては、障子を開閉する際につかむ取手を障子の框の押縁に対してしっかりと取り付けることができるので、框の見付け寸法を減少させて開口面積を大きくしながら、取手をつかんでの開閉操作の際に取手や框がぐらつくことがなく、安定した開閉操作を行うことを可能にした。
また、押縁を右縦框本体部にがたつくことなく取り付けることができるので、障子の開閉操作によってバックアップ材及び硬質バックアップ材の内周側に施工されたシール材に影響を与えることがなく、シール材が切れることがない。
【００１６】
なお、本実施形態の建具においては、取手を戸先側の框材である右縦框の押縁に取り付けているが、取手を取り付ける框材は右縦框に限るものではなく、いずれの框材の押縁に取り付けてもよい。
また、本実施形態においては、ガラス等パネルの両面に配置されるバックアップ材について、硬質バックアップ材に変更した開き窓を示しており、目的を達成する上では好ましいが、ガラス等パネルの取手が取り付けている側とは反対側のバックアップ材については、必ずしも硬質バックアップ材を使用しなくても、本件発明の目的を達成することができる。
【符号の説明】
【００１７】
１        ：枠体
２        ：障子
１１      ：上枠
１２      ：下枠
１３      ：左縦枠
１４      ：右縦枠
２１      ：上框
２２      ：下框
２３      ：左縦框
２４      ：右縦框
２４ａ    ：ガラス間口
２４１    ：右縦框本体部
２４１ａ  ：外周壁
２４１ｂ  ：室外側壁
２４２    ：押縁
２４２ａ  ：見付け面部
２４２ｂ  ：見込み面部
２５      ：ガラス等パネル
３        ：ブロック材
５        ：取手
６１      ：バックアップ材
６２      ：硬質バックアップ材
【図１】
0006595887.tif 000002
【図２】
0006595887.tif 000003
【図３】
0006595887.tif 000004
【図４】
0006595887.tif 000005
【図５】
0006595887.tif 000006